(57)【要約】  本願の実施例は、ＳＲＳに対して適切な電力制御を行うことができる無線通信方法及び装置を提供する。該方法は、サウンディング参照信号（ＳＲＳ）リソースグループに対応する第１アップリンク信号又は第１ダウンリンク信号に基づいて、前記ＳＲＳリソースグループに対して閉ループ電力制御パラメータを決定することと、前記閉ループ電力制御パラメータに基づいて、前記ＳＲＳリソースグループに対して目標送信電力を決定することと、前記目標送信電力に応じて、前記ＳＲＳリソースグループにおけるＳＲＳリソースにおいてＳＲＳをネットワーク装置に送信することと、を含む。
2021502730.tif 000002
【特許請求の範囲】
【請求項１】
サウンディング参照信号（ＳＲＳ）リソースグループに対応する第１アップリンク信号又は第１ダウンリンク信号に基づいて、前記ＳＲＳリソースグループに対して閉ループ電力制御パラメータを決定することと、
前記閉ループ電力制御パラメータに基づいて、前記ＳＲＳリソースグループに対して目標送信電力を決定することと、
前記目標送信電力に応じて、前記ＳＲＳリソースグループにおけるＳＲＳリソースにおいてＳＲＳをネットワーク装置に送信することと、を含むことを特徴とする無線通信方法。
【請求項２】
前記ＳＲＳリソースグループに対して閉ループ電力制御パラメータを決定することは、
前記ＳＲＳリソースグループにおけるＳＲＳリソースに対して同一の閉ループ電力制御パラメータを決定することを含むことを特徴とする請求項１に記載の方法。
【請求項３】
前記サウンディング参照信号（ＳＲＳ）リソースグループに対応する第１アップリンク信号又は第１ダウンリンク信号に基づいて、前記ＳＲＳリソースグループに対して閉ループ電力制御パラメータを決定することは、
同一の前記第１アップリンク信号又は前記第１ダウンリンク信号に基づいて、前記ＳＲＳリソースグループにおけるＳＲＳリソースに対して前記閉ループ電力制御パラメータを決定することを含むことを特徴とする請求項１又は２に記載の方法。
【請求項４】
前記ＳＲＳリソースグループに対して目標送信電力を決定することは、
前記ＳＲＳリソースグループにおけるＳＲＳリソースに対して同一の目標送信電力を決定することを含むことを特徴とする請求項１〜３のいずれか一項に記載の方法。
【請求項５】
前記サウンディング参照信号（ＳＲＳ）リソースグループに対応する第１アップリンク信号又は第１ダウンリンク信号に基づいて、前記ＳＲＳリソースグループに対して閉ループ電力制御パラメータを決定する前に、前記方法は、
前記ネットワーク装置の第１指示情報を受信し、前記第１指示情報は前記ＳＲＳリソースグループに対応する前記第１アップリンク信号又は前記第１ダウンリンク信号を指示することに用いられ、或いは前記第１アップリンク信号をベアリングするリソース又は前記第１ダウンリンク信号をベアリングするリソースを指示することに用いられることを更に含むことを特徴とする請求項１〜４のいずれか一項に記載の方法。
【請求項６】
前記第１アップリンク信号はＳＲＳ、物理アップリンク共有チャネル（ＰＵＳＣＨ）、物理アップリンク制御チャネル（ＰＵＣＣＨ）、物理ランダムアクセスチャネル（ＰＲＡＣＨ）、復調参照信号（ＤＭＲＳ）又は位相追跡参照信号（ＰＴＲＳ）であることを特徴とする請求項１〜５のいずれか一項に記載の方法。
【請求項７】
前記第１アップリンク信号は、前記ＳＲＳリソースグループにおける１つのＳＲＳリソースにおいて伝送されるＳＲＳであり、又は、
前記第１アップリンク信号は、端末装置が最近受信したＳＲＳリソース指示情報によって指示されるＳＲＳリソースにおいて伝送されるＳＲＳであり、又は、
前記第１アップリンク信号は、端末装置が最近前記ＳＲＳリソースグループ以外の他のＳＲＳリソースにおいて伝送したＳＲＳであることを特徴とする請求項１〜６のいずれか一項に記載の方法。
【請求項８】
前記第１アップリンク信号は前記ＳＲＳリソースグループにおける１つのＳＲＳリソースにおいて伝送されるＳＲＳであることは、
前記第１アップリンク信号は前記ＳＲＳリソースグループにおけるＳＲＳリソースインデックスが最も低いＳＲＳリソースにおいて伝送されるＳＲＳであること、又は、
前記第１アップリンク信号は前記ＳＲＳリソースグループにおける時間順に最も早いＳＲＳリソースにおいて伝送されるＳＲＳであることを含むことを特徴とする請求項７に記載の方法。
【請求項９】
前記他のＳＲＳリソースは、前記ネットワーク装置がチャネル状態情報（ＣＳＩ）を取得することに用いられるＳＲＳリソースであることを特徴とする請求項７に記載の方法。
【請求項１０】
前記サウンディング参照信号（ＳＲＳ）リソースグループに対応する第１アップリンク信号又は第１ダウンリンク信号に基づいて、前記ＳＲＳリソースグループに対して閉ループ電力制御パラメータを決定することは、
前記第１アップリンク信号の送信電力を計算する時に使用される閉ループ電力制御パラメータを、前記ＳＲＳリソースグループに対応する閉ループ電力制御パラメータとして決定することを含むことを特徴とする請求項１〜９のいずれか一項に記載の方法。
【請求項１１】
前記第１ダウンリンク信号は、前記ＳＲＳリソースグループに対して電力制御を行うパスロス推定値を取得するためのダウンリンク信号であることを特徴とする請求項１〜５のいずれか一項に記載の方法。
【請求項１２】
前記ダウンリンク信号はチャネル状態情報参照信号（ＣＳＩ−ＲＳ）又は同期信号ブロックであることを特徴とする請求項１１に記載の方法。
【請求項１３】
前記ＳＲＳリソースグループに対応する第１アップリンク信号又は第１ダウンリンク信号に基づいて、前記ＳＲＳリソースグループに対して閉ループ電力制御パラメータを決定することは、
前記第１ダウンリンク信号の伝送が所在するスロットインデックスを、前記ＳＲＳリソースグループに対して電力制御を行うのに使用される閉ループ電力調整関数におけるスロットインデックスとして決定することを含むことを特徴とする請求項１〜５、１１及び１２のいずれか一項に記載の方法。
【請求項１４】
前記ＳＲＳリソースグループは複数のＳＲＳリソースを含み、前記目標送信電力に応じて、前記ＳＲＳリソースグループにおけるＳＲＳリソースにおいてそれぞれＳＲＳをネットワーク装置に送信することは、
前記目標送信電力に応じて、前記ＳＲＳリソースグループにおける異なるＳＲＳリソースにおいて、異なる送信ビーム又は異なる送信アンテナを使用してそれぞれＳＲＳを前記ネットワーク装置に送信することを含むことを特徴とする請求項１〜１３のいずれか一項に記載の方法。
【請求項１５】
前記ＳＲＳリソースグループは、アップリンクビーム管理、チャネル状態情報（ＣＳＩ）の取得又は送信アンテナの選択に使用されるＳＲＳリソースグループであることを特徴とする請求項１〜１４のいずれか一項に記載の方法。
【請求項１６】
前記ＳＲＳリソースグループは、１つの非周期的ＳＲＳトリガーシグナリングによってトリガーされる１組の非周期的ＳＲＳ伝送をベアリングするためのものであり、又は、
前記ＳＲＳリソースグループは、１つの永続的ＳＲＳアクティベーションシグナリングによってアクティベーションされる１組の永続的ＳＲＳ伝送をベアリングするためのものであることを特徴とする請求項１〜１５のいずれか一項に記載の方法。
【請求項１７】
前記閉ループ電力制御パラメータは閉ループ電力調整値、又は閉ループ電力調整関数におけるスロットインデックス、又は閉ループ電力調整関数における閉ループ電力制御プロセスインデックスであることを特徴とする請求項１〜１６のいずれか一項に記載の方法。
【請求項１８】
参照リソースによって占有される時間ユニットのインデックスを閉ループ電力制御パラメータとして、サウンディング参照信号（ＳＲＳ）リソースグループに対して目標送信電力を決定することと、
前記目標送信電力に応じて、前記ＳＲＳリソースグループにおけるＳＲＳリソースにおいてＳＲＳをネットワーク装置に送信することと、を含むことを特徴とする無線通信方法。
【請求項１９】
前記参照リソースによって占有される時間ユニットのインデックスを閉ループ電力制御パラメータとして、サウンディング参照信号（ＳＲＳ）リソースグループに対して目標送信電力を決定することは、
同一の前記参照リソースによって占有される時間ユニットのインデックスを閉ループ電力制御パラメータとして、前記ＳＲＳリソースグループにおけるＳＲＳリソースに対して目標送信電力を決定することを含むことを特徴とする請求項１８に記載の方法。
【請求項２０】
前記ＳＲＳリソースグループに対して目標送信電力を決定することは、
前記ＳＲＳリソースグループにおけるＳＲＳリソースに対して同一の目標送信電力を決定することを含むことを特徴とする請求項１８又は１９に記載の方法。
【請求項２１】
前記参照リソースによって占有される時間ユニットのインデックスを閉ループ電力制御パラメータとして、前記ＳＲＳリソースグループに対して目標送信電力を決定する前に、前記方法は、
前記ネットワーク装置の第１指示情報を受信し、前記第１指示情報は前記ＳＲＳリソースグループに対応する参照リソースを指示することに用いられることを更に含むことを特徴とする請求項１８〜２０のいずれか一項に記載の方法。
【請求項２２】
前記参照リソースは、前記ＳＲＳリソースグループにおける１つのＳＲＳリソースであり、又は、
前記参照リソースは、端末装置が最近受信したＳＲＳリソース指示情報によって指示されるＳＲＳリソースであり、又は、
前記参照リソースは、端末装置が最近受信したＳＲＳのＳＲＳリソースであり、前記ＳＲＳリソースは前記ＳＲＳリソースグループ以外の他のＳＲＳリソースであり、又は、
前記参照リソースは前記ＳＲＳリソースグループであることを特徴とする請求項１８〜２１のいずれか一項に記載の方法。
【請求項２３】
前記参照リソースが前記ＳＲＳリソースグループにおける１つのＳＲＳリソースであることは、
前記参照リソースは前記ＳＲＳリソースグループにおけるＳＲＳリソースインデックスが最も低いＳＲＳリソースであること、又は、
前記参照リソースは前記ＳＲＳリソースグループにおける時間順に最も早いＳＲＳリソースであることを含むことを特徴とする請求項２２に記載の方法。
【請求項２４】
前記参照リソースが複数の時間ユニットを占有する場合、端末装置は参照リソースによって占有される１番目の時間ユニットのインデックスを閉ループ電力制御パラメータとすることを特徴とする請求項１８〜２３のいずれか一項に記載の方法。
【請求項２５】
前記他のＳＲＳリソースは、前記ネットワーク装置がチャネル状態情報（ＣＳＩ）を取得することに用いられるＳＲＳリソースであることを特徴とする請求項２２に記載の方法。
【請求項２６】
前記参照リソースは、前記ＳＲＳリソースグループに対して電力制御を行うパスロス推定値を取得するためのダウンリンク信号によって占有されるリソースであることを特徴とする請求項１８〜２１のいずれか一項に記載の方法。
【請求項２７】
前記ダウンリンク信号はチャネル状態情報参照信号（ＣＳＩ−ＲＳ）又は同期信号ブロックであることを特徴とする請求項２６に記載の方法。
【請求項２８】
前記ＳＲＳリソースグループは複数のＳＲＳリソースを含み、前記目標送信電力に応じて、前記ＳＲＳリソースグループにおけるＳＲＳリソースにおいてそれぞれＳＲＳをネットワーク装置に送信することは、
前記目標送信電力に応じて、前記ＳＲＳリソースグループにおける異なるＳＲＳリソースにおいて、異なる送信ビーム又は異なる送信アンテナを使用してそれぞれＳＲＳを前記ネットワーク装置に送信することを含むことを特徴とする請求項１８〜２７のいずれか一項に記載の方法。
【請求項２９】
前記ＳＲＳリソースグループは、アップリンクビーム管理、チャネル状態情報（ＣＳＩ）の取得又は送信アンテナの選択に使用されるＳＲＳリソースグループであることを特徴とする請求項１８〜２８のいずれか一項に記載の方法。
【請求項３０】
前記ＳＲＳリソースグループは、１つの非周期的ＳＲＳトリガーシグナリングによってトリガーされる１組の非周期的ＳＲＳ伝送をベアリングするためのものであり、又は、
前記ＳＲＳリソースグループは、１つの永続的ＳＲＳアクティベーションシグナリングによってアクティベーションされる１組の永続的ＳＲＳ伝送をベアリングするためのものであることを特徴とする請求項１８〜２９のいずれか一項に記載の方法。
【請求項３１】
端末装置であって、処理ユニット及び通信ユニットを備え、
前記処理ユニットは、サウンディング参照信号（ＳＲＳ）リソースグループに対応する第１アップリンク信号又は第１ダウンリンク信号に基づいて、前記ＳＲＳリソースグループに対して閉ループ電力制御パラメータを決定することと、前記閉ループ電力制御パラメータに基づいて、前記ＳＲＳリソースグループに対して目標送信電力を決定することと、に用いられ、
前記通信ユニットは、前記目標送信電力に応じて、前記ＳＲＳリソースグループにおけるＳＲＳリソースにおいてＳＲＳをネットワーク装置に送信することに用いられることを特徴とする端末装置。
【請求項３２】
前記処理ユニットは更に、
前記ＳＲＳリソースグループにおけるＳＲＳリソースに対して同一の閉ループ電力制御パラメータを決定することに用いられることを特徴とする請求項３１に記載の端末装置。
【請求項３３】
前記処理ユニットは更に、
同一の前記第１アップリンク信号又は前記第１ダウンリンク信号に基づいて、前記ＳＲＳリソースグループにおけるＳＲＳリソースに対して前記閉ループ電力制御パラメータを決定することに用いられることを特徴とする請求項３１又は３２に記載の端末装置。
【請求項３４】
前記処理ユニットは更に、
前記ＳＲＳリソースグループにおけるＳＲＳリソースに対して同一の目標送信電力を決定することに用いられることを特徴とする請求項３１〜３３のいずれか一項に記載の端末装置。
【請求項３５】
前記通信ユニットは更に、
前記ネットワーク装置の第１指示情報を受信することに用いられ、前記第１指示情報は前記ＳＲＳリソースグループに対応する前記第１アップリンク信号又は前記第１ダウンリンク信号を指示することに用いられ、或いは前記第１アップリンク信号をベアリングするリソース又は前記第１ダウンリンク信号をベアリングするリソースを指示することに用いられることを特徴とする請求項３１〜３４のいずれか一項に記載の端末装置。
【請求項３６】
前記第１アップリンク信号はＳＲＳ、物理アップリンク共有チャネル（ＰＵＳＣＨ）、物理アップリンク制御チャネル（ＰＵＣＣＨ）、物理ランダムアクセスチャネル（ＰＲＡＣＨ）、復調参照信号（ＤＭＲＳ）又は位相追跡参照信号（ＰＴＲＳ）であることを特徴とする請求項３１〜３５のいずれか一項に記載の端末装置。
【請求項３７】
前記第１アップリンク信号は、前記ＳＲＳリソースグループにおける１つのＳＲＳリソースにおいて伝送されるＳＲＳであり、又は、
前記第１アップリンク信号は、端末装置が最近受信したＳＲＳリソース指示情報によって指示されるＳＲＳリソースにおいて伝送されるＳＲＳであり、又は、
前記第１アップリンク信号は、端末装置が最近前記ＳＲＳリソースグループ以外の他のＳＲＳリソースにおいて伝送したＳＲＳであることを特徴とする請求項３１〜３６のいずれか一項に記載の端末装置。
【請求項３８】
前記第１アップリンク信号は前記ＳＲＳリソースグループにおける１つのＳＲＳリソースにおいて伝送されるＳＲＳであることは、
前記第１アップリンク信号は前記ＳＲＳリソースグループにおけるＳＲＳリソースインデックスが最も低いＳＲＳリソースにおいて伝送されるＳＲＳであること、又は、
前記第１アップリンク信号は前記ＳＲＳリソースグループにおける時間順に最も早いＳＲＳリソースにおいて伝送されるＳＲＳであることを含むことを特徴とする請求項３７に記載の端末装置。
【請求項３９】
前記他のＳＲＳリソースは、前記ネットワーク装置がチャネル状態情報（ＣＳＩ）を取得することに用いられるＳＲＳリソースであることを特徴とする請求項３７に記載の端末装置。
【請求項４０】
前記処理ユニットは更に、
前記第１アップリンク信号の送信電力を計算する時に使用される閉ループ電力制御パラメータを、前記ＳＲＳリソースグループに対応する前記閉ループ電力制御パラメータとして決定することに用いられることを特徴とする請求項３１〜３９のいずれか一項に記載の端末装置。
【請求項４１】
前記第１ダウンリンク信号は、前記ＳＲＳリソースグループに対して電力制御を行うパスロス推定値を取得するためのダウンリンク信号であることを特徴とする請求項３１〜３５のいずれか一項に記載の端末装置。
【請求項４２】
前記ダウンリンク信号はチャネル状態情報参照信号（ＣＳＩ−ＲＳ）又は同期信号ブロックであることを特徴とする請求項４１に記載の端末装置。
【請求項４３】
前記処理ユニットは更に、
前記第１ダウンリンク信号の伝送が所在するスロットインデックスを、前記ＳＲＳリソースグループに対して電力制御を行うのに使用される閉ループ電力調整関数におけるスロットインデックスとして決定することに用いられることを特徴とする請求項３１〜３５、４１及び４２のいずれか一項に記載の端末装置。
【請求項４４】
前記通信ユニットは更に、
前記目標送信電力に応じて、前記ＳＲＳリソースグループにおける異なるＳＲＳリソースにおいて、異なる送信ビーム又は異なる送信アンテナを使用してそれぞれＳＲＳを前記ネットワーク装置に送信することに用いられることを特徴とする請求項３１〜４３のいずれか一項に記載の端末装置。
【請求項４５】
前記ＳＲＳリソースグループは、アップリンクビーム管理、チャネル状態情報（ＣＳＩ）の取得又は送信アンテナの選択に使用されるＳＲＳリソースグループであることを特徴とする請求項３１〜４４のいずれか一項に記載の端末装置。
【請求項４６】
前記ＳＲＳリソースグループは、１つの非周期的ＳＲＳトリガーシグナリングによってトリガーされる１組の非周期的ＳＲＳ伝送をベアリングするためのものであり、又は、
前記ＳＲＳリソースグループは、１つの永続的ＳＲＳアクティベーションシグナリングによってアクティベーションされる１組の永続的ＳＲＳ伝送をベアリングするためのものであることを特徴とする請求項３１〜４５のいずれか一項に記載の端末装置。
【請求項４７】
前記閉ループ電力制御パラメータは閉ループ電力調整値、又は閉ループ電力調整関数におけるスロットインデックス、又は閉ループ電力調整関数における閉ループ電力制御プロセスインデックスであることを特徴とする請求項３１〜４６のいずれか一項に記載の端末装置。
【請求項４８】
端末装置であって、処理ユニット及び通信ユニットを備え、
前記処理ユニットは、参照リソースによって占有される時間ユニットのインデックスを閉ループ電力制御パラメータとして、サウンディング参照信号（ＳＲＳ）リソースグループに対して目標送信電力を決定することに用いられ、
前記通信ユニットは、前記目標送信電力に応じて、前記ＳＲＳリソースグループにおけるＳＲＳリソースにおいてＳＲＳをネットワーク装置に送信することに用いられることを特徴とする端末装置。
【請求項４９】
前記処理ユニットは更に、
同一の前記参照リソースによって占有される時間ユニットのインデックスを閉ループ電力制御パラメータとして、前記ＳＲＳリソースグループにおけるＳＲＳリソースに対して目標送信電力を決定することに用いられることを特徴とする請求項４８に記載の端末装置。
【請求項５０】
前記処理ユニットは更に、
前記ＳＲＳリソースグループにおけるＳＲＳリソースに対して同一の目標送信電力を決定することに用いられることを特徴とする請求項４８又は４９に記載の端末装置。
【請求項５１】
前記通信ユニットは更に、
前記ネットワーク装置の第１指示情報を受信することに用いられ、前記第１指示情報は前記ＳＲＳリソースグループに対応する参照リソースを指示することに用いられることを特徴とする請求項４８〜５０のいずれか一項に記載の端末装置。
【請求項５２】
前記参照リソースは前記ＳＲＳリソースグループにおける１つのＳＲＳリソースであり、又は、
前記参照リソースは端末装置が最近受信したＳＲＳリソース指示情報によって指示されるＳＲＳリソースであり、又は、
前記参照リソースは端末装置が最近受信したＳＲＳのＳＲＳリソースであり、前記ＳＲＳリソースは前記ＳＲＳリソースグループ以外の他のＳＲＳリソースであり、又は、
前記参照リソースは前記ＳＲＳリソースグループであることを特徴とする請求項４８〜５１のいずれか一項に記載の端末装置。
【請求項５３】
前記参照リソースが前記ＳＲＳリソースグループにおける１つのＳＲＳリソースであることは、
前記参照リソースは前記ＳＲＳリソースグループにおけるＳＲＳリソースインデックスが最も低いＳＲＳリソースであること、又は、
前記参照リソースは前記ＳＲＳリソースグループにおける時間順に最も早いＳＲＳリソースであることを含むことを特徴とする請求項５２に記載の端末装置。
【請求項５４】
前記参照リソースが複数の時間ユニットを占有する場合、端末装置は参照リソースによって占有される１番目の時間ユニットのインデックスを閉ループ電力制御パラメータとすることを特徴とする請求項４８〜５３のいずれか一項に記載の端末装置。
【請求項５５】
前記他のＳＲＳリソースは、前記ネットワーク装置がチャネル状態情報（ＣＳＩ）を取得することに用いられるＳＲＳリソースであることを特徴とする請求項５２に記載の端末装置。
【請求項５６】
前記参照リソースは、前記ＳＲＳリソースグループに対して電力制御を行うパスロス推定値を取得するためのダウンリンク信号によって占有されるリソースであることを特徴とする請求項４８〜５１のいずれか一項に記載の端末装置。
【請求項５７】
前記ダウンリンク信号はチャネル状態情報参照信号（ＣＳＩ−ＲＳ）又は同期信号ブロックであることを特徴とする請求項５６に記載の端末装置。
【請求項５８】
前記通信ユニットは更に、
前記目標送信電力に応じて、前記ＳＲＳリソースグループにおける異なるＳＲＳリソースにおいて、異なる送信ビーム又は異なる送信アンテナを使用してそれぞれＳＲＳを前記ネットワーク装置に送信することに用いられることを特徴とする請求項４８〜５７のいずれか一項に記載の端末装置。
【請求項５９】
前記ＳＲＳリソースグループは、アップリンクビーム管理、チャネル状態情報（ＣＳＩ）の取得又は送信アンテナの選択に使用されるＳＲＳリソースグループであることを特徴とする請求項４８〜５８のいずれか一項に記載の端末装置。
【請求項６０】
前記ＳＲＳリソースグループは、１つの非周期的ＳＲＳトリガーシグナリングによってトリガーされる１組の非周期的ＳＲＳ伝送をベアリングするためのものであり、又は、
前記ＳＲＳリソースグループは、１つの永続的ＳＲＳアクティベーションシグナリングによってアクティベーションされる１組の永続的ＳＲＳ伝送をベアリングするためのものであることを特徴とする請求項４８〜５９のいずれか一項に記載の端末装置。
【発明の詳細な説明】
【技術分野】
【０００１】
本願は通信分野に関し、より具体的に、無線通信方法及び装置に関する。
【背景技術】
【０００２】
新無線（Ｎｅｗ  Ｒａｄｉｏ、ＮＲ）システムでは、サウンディング参照信号（Ｓｏｕｎｄｉｎｇ  Ｒｅｆｅｒｅｎｃｅ  Ｓｉｇｎａｌ、ＳＲＳ）に基づいて、送信ビーム管理及び受信ビーム管理を含むアップリンクビーム管理を実行できる。送信ビーム管理について、端末装置は複数のＳＲＳリソースにおいて異なるビームを使用してＳＲＳを送信し、ネットワーク側は複数のＳＲＳリソースにおける受信信号強度に応じて少なくとも１つのＳＲＳリソースを選択して端末に指示し、それにより端末は該ＳＲＳリソースに対応するビームを使用してデータを伝送する。受信ビーム管理について、端末は１つ又は複数のＳＲＳリソースにおいて同一のビームを使用してＳＲＳを送信し、ネットワーク側は異なる受信ビームに基づいて複数のＳＲＳリソースにおけるＳＲＳ信号を受信し、受信信号強度に応じてデータ受信用の受信ビームを選択する。ＮＲシステムでは、更にＳＲＳに基づいて送信アンテナの選択又はチャネル状態情報（Ｃｈａｎｎｅｌ  Ｓｔａｔｅ  Ｉｎｆｏｒｍａｔｉｏｎ、ＣＳＩ）の取得を実行できる。
【０００３】
ＳＲＳ信号の送信電力の選択は、ビーム管理における受信ビーム及び送信ビームの選択又は送信アンテナの選択又はチャネル状態情報（Ｃｈａｎｎｅｌ  Ｓｔａｔｅ  Ｉｎｆｏｒｍａｔｉｏｎ、ＣＳＩ）の取得等に重要な影響を及ぼす。
【０００４】
従って、如何にＳＲＳ信号を電力制御するのは解決を急ぐべき問題である。
【発明の概要】
【発明が解決しようとする課題】
【０００５】
本願の実施例は、ＳＲＳに対して適切な電力制御を実行できる無線通信方法及び装置を提供する。
【課題を解決するための手段】
【０００６】
第１態様では、無線通信方法を提供し、
サウンディング参照信号（ＳＲＳ）リソースグループに対応する第１アップリンク信号又は第１ダウンリンク信号に基づいて、前記ＳＲＳリソースグループに対して閉ループ電力制御パラメータを決定することと、
前記閉ループ電力制御パラメータに基づいて、前記ＳＲＳリソースグループに対して目標送信電力を決定することと、
前記目標送信電力に応じて、前記ＳＲＳリソースグループにおけるＳＲＳリソースにおいてＳＲＳをネットワーク装置に送信することと、を含む。
【０００７】
従って、本願の実施例では、端末装置はＳＲＳリソースグループに対応する第１アップリンク信号又は第１ダウンリンク信号に基づいて、前記ＳＲＳリソースグループに対して閉ループ電力制御パラメータを決定し、前記閉ループ電力制御パラメータに基づいて、前記ＳＲＳリソースグループに対して目標送信電力を決定することで、適切な送信電力を選択してＳＲＳ送信を実行することができる。
【０００８】
第１態様に関連して、第１態様の可能な実施形態では、前記ＳＲＳリソースグループに対して閉ループ電力制御パラメータを決定することは、
前記ＳＲＳリソースグループにおけるＳＲＳリソースに対して同一の閉ループ電力制御パラメータを決定することを含む。
【０００９】
第１態様又は前記可能な実施形態のいずれかに関連して、第１態様の別の可能な実施形態では、前記サウンディング参照信号（ＳＲＳ）リソースグループに対応する第１アップリンク信号又は第１ダウンリンク信号に基づいて、前記ＳＲＳリソースグループに対して閉ループ電力制御パラメータを決定することは、
同一の前記第１アップリンク信号又は前記第１ダウンリンク信号に基づいて、前記ＳＲＳリソースグループにおけるＳＲＳリソースに対して前記閉ループ電力制御パラメータを決定することを含む。
【００１０】
第１態様又は前記可能な実施形態のいずれかに関連して、第１態様の別の可能な実施形態では、前記ＳＲＳリソースグループに対して目標送信電力を決定することは、
前記ＳＲＳリソースグループにおけるＳＲＳリソースに対して同一の目標送信電力を決定することを含む。
【００１１】
第１態様又は前記可能な実施形態のいずれかに関連して、第１態様の別の可能な実施形態では、前記サウンディング参照信号（ＳＲＳ）リソースグループに対応する第１アップリンク信号又は第１ダウンリンク信号に基づいて、前記ＳＲＳリソースグループに対して閉ループ電力制御パラメータを決定する前に、前記方法は、
前記ネットワーク装置の第１指示情報を受信し、前記第１指示情報は前記ＳＲＳリソースグループに対応する前記第１アップリンク信号又は前記第１ダウンリンク信号を指示することに用いられ、或いは前記第１アップリンク信号をベアリングするリソース又は前記第１ダウンリンク信号をベアリングするリソースを指示することに用いられることを更に含む。
【００１２】
第１態様又は前記可能な実施形態のいずれかに関連して、第１態様の別の可能な実施形態では、前記第１アップリンク信号はＳＲＳ、物理アップリンク共有チャネル（ＰＵＳＣＨ）、物理アップリンク制御チャネル（ＰＵＣＣＨ）、物理ランダムアクセスチャネル（ＰＲＡＣＨ）、復調参照信号（ＤＭＲＳ）又は位相追跡参照信号（ＰＴＲＳ）である。
【００１３】
第１態様又は前記可能な実施形態のいずれかに関連して、第１態様の別の可能な実施形態では、前記第１アップリンク信号は前記ＳＲＳリソースグループにおける１つのＳＲＳリソースにおいて伝送されるＳＲＳであり、又は、
前記第１アップリンク信号は端末装置が最近受信したＳＲＳリソース指示情報によって指示されるＳＲＳリソースにおいて伝送されるＳＲＳであり、又は、
前記第１アップリンク信号は端末装置が最近前記ＳＲＳリソースグループ以外の他のＳＲＳリソースにおいて伝送したＳＲＳである。
【００１４】
第１態様又は前記可能な実施形態のいずれかに関連して、第１態様の別の可能な実施形態では、前記第１アップリンク信号は前記ＳＲＳリソースグループにおける１つのＳＲＳリソースにおいて伝送されるＳＲＳであることは、
前記第１アップリンク信号は前記ＳＲＳリソースグループにおけるＳＲＳリソースインデックスが最も低いＳＲＳリソースにおいて伝送されるＳＲＳであること、又は、
前記第１アップリンク信号は前記ＳＲＳリソースグループにおける時間順に最も早いＳＲＳリソースにおいて伝送されるＳＲＳであることを含む。
【００１５】
第１態様又は前記可能な実施形態のいずれかに関連して、第１態様の別の可能な実施形態では、前記他のＳＲＳリソースは前記ネットワーク装置がチャネル状態情報（ＣＳＩ）を取得することに用いられるＳＲＳリソースである。
【００１６】
第１態様又は前記可能な実施形態のいずれかに関連して、第１態様の別の可能な実施形態では、前記サウンディング参照信号（ＳＲＳ）リソースグループに対応する第１アップリンク信号又は第１ダウンリンク信号に基づいて、前記ＳＲＳリソースグループに対して閉ループ電力制御パラメータを決定することは、
前記第１アップリンク信号の送信電力を計算する時に使用される閉ループ電力制御パラメータを、前記ＳＲＳリソースグループに対応する閉ループ電力制御パラメータとして決定することを含む。
【００１７】
第１態様又は前記可能な実施形態のいずれかに関連して、第１態様の別の可能な実施形態では、前記第１ダウンリンク信号は前記ＳＲＳリソースグループに対して電力制御を行うパスロス推定値を取得するためのダウンリンク信号である。
【００１８】
第１態様又は前記可能な実施形態のいずれかに関連して、第１態様の別の可能な実施形態では、前記ダウンリンク信号はチャネル状態情報参照信号（ＣＳＩ−ＲＳ）又は同期信号ブロックである。
【００１９】
第１態様又は前記可能な実施形態のいずれかに関連して、第１態様の別の可能な実施形態では、前記ＳＲＳリソースグループに対応する第１アップリンク信号又は第１ダウンリンク信号に基づいて、前記ＳＲＳリソースグループに対して閉ループ電力制御パラメータを決定することは、
前記第１ダウンリンク信号の伝送が所在するスロットインデックスを、前記ＳＲＳリソースグループに対して電力制御を行うのに使用される閉ループ電力調整関数におけるスロットインデックスとして決定することを含む。
【００２０】
第１態様又は前記可能な実施形態のいずれかに関連して、第１態様の別の可能な実施形態では、前記ＳＲＳリソースグループは複数のＳＲＳリソースを含み、前記目標送信電力に応じて、前記ＳＲＳリソースグループにおいてそれぞれＳＲＳをネットワーク装置に送信することは、
前記目標送信電力に応じて、前記ＳＲＳリソースグループにおける異なるＳＲＳリソースにおいて、異なる送信ビーム又は異なる送信アンテナを使用してそれぞれＳＲＳを前記ネットワーク装置に送信することを含む。
【００２１】
第１態様又は前記可能な実施形態のいずれかに関連して、第１態様の別の可能な実施形態では、前記ＳＲＳリソースグループは、アップリンクビーム管理、送信アンテナの選択又はＣＳＩに使用されるＳＲＳリソースグループである。
【００２２】
第１態様又は前記可能な実施形態のいずれかに関連して、第１態様の別の可能な実施形態では、前記ＳＲＳリソースグループは、１つの非周期的ＳＲＳトリガーシグナリングによってトリガーされる１組の非周期的ＳＲＳ伝送をベアリングするためのものであり、又は、
前記ＳＲＳリソースグループは、１つの永続的ＳＲＳアクティベーションシグナリングによってアクティベーションされる１組の永続的ＳＲＳ伝送をベアリングするためのものである。
【００２３】
第１態様又は前記可能な実施形態のいずれかに関連して、第１態様の別の可能な実施形態では、前記閉ループ電力制御パラメータは閉ループ電力調整値、又は閉ループ電力調整関数におけるスロットインデックス、又は閉ループ電力調整関数における閉ループ電力制御プロセスインデックスである。
【００２４】
第２態様では、無線通信方法を提供し、
参照リソースによって占有される時間ユニットのインデックスを閉ループ電力制御パラメータとして、サウンディング参照信号（ＳＲＳ）リソースグループに対して目標送信電力を決定することと、
前記目標送信電力に応じて、前記ＳＲＳリソースグループにおけるＳＲＳリソースにおいてＳＲＳをネットワーク装置に送信することと、を含む。
【００２５】
従って、本願の実施例では、端末装置は参照リソースによって占有される時間ユニットのインデックスを閉ループ電力制御パラメータとして、サウンディング参照信号（ＳＲＳ）リソースグループに対して目標送信電力を決定することで、適切な送信電力を選択してＳＲＳ送信を実行することができる。
【００２６】
第２態様に関連して、第２態様の可能な実施形態では、前記参照リソースによって占有される時間ユニットのインデックスを閉ループ電力制御パラメータとして、サウンディング参照信号（ＳＲＳ）リソースグループに対して目標送信電力を決定することは、
同一の前記参照リソースによって占有される時間ユニットのインデックスを閉ループ電力制御パラメータとして、前記ＳＲＳリソースグループにおけるＳＲＳリソースに対して目標送信電力を決定することを含む。
【００２７】
第２態様又は前記可能な実施形態のいずれかに関連して、第２態様の別の可能な実施形態では、前記ＳＲＳリソースグループに対して目標送信電力を決定することは、
前記ＳＲＳリソースグループにおけるＳＲＳリソースに対して同一の目標送信電力を決定することを含む。
【００２８】
第２態様又は前記可能な実施形態のいずれかに関連して、第２態様の別の可能な実施形態では、前記参照リソースによって占有される時間ユニットのインデックスを閉ループ電力制御パラメータとして、前記ＳＲＳリソースグループに対して目標送信電力を決定する前に、前記方法は、
前記ネットワーク装置の第１指示情報を受信し、前記第１指示情報は前記ＳＲＳリソースグループに対応する参照リソースを指示することに用いられることを更に含む。
【００２９】
第２態様又は前記可能な実施形態のいずれかに関連して、第２態様の別の可能な実施形態では、前記参照リソースは前記ＳＲＳリソースグループにおける１つのＳＲＳリソースであり、又は、
前記参照リソースは端末装置が最近受信したＳＲＳリソース指示情報によって指示されるＳＲＳリソースであり、又は、
前記参照リソースは端末装置が最近受信したＳＲＳのＳＲＳリソースであり、前記ＳＲＳリソースは前記ＳＲＳリソースグループ以外の他のＳＲＳリソースであり、又は、
前記参照リソースは前記ＳＲＳリソースグループである。
【００３０】
第２態様又は前記可能な実施形態のいずれかに関連して、第２態様の別の可能な実施形態では、前記参照リソースが前記ＳＲＳリソースグループにおける１つのＳＲＳリソースであることは、
前記参照リソースは前記ＳＲＳリソースグループにおけるＳＲＳリソースインデックスが最も低いＳＲＳリソースであること、又は、
前記参照リソースは前記ＳＲＳリソースグループにおける時間順に最も早いＳＲＳリソースであることを含む。
【００３１】
第２態様又は前記可能な実施形態のいずれかに関連して、第２態様の別の可能な実施形態では、前記参照リソースが複数の時間ユニットを占有する場合、端末装置は参照リソースによって占有される１番目の時間ユニットのインデックスを閉ループ電力制御パラメータとする。
【００３２】
第２態様又は前記可能な実施形態のいずれかに関連して、第２態様の別の可能な実施形態では、前記他のＳＲＳリソースは前記ネットワーク装置がチャネル状態情報（ＣＳＩ）を取得することに用いられるＳＲＳリソースである。
【００３３】
第２態様又は前記可能な実施形態のいずれかに関連して、第２態様の別の可能な実施形態では、前記参照リソースは前記ＳＲＳリソースグループに対して電力制御を行うパスロス推定値を取得するためのダウンリンク信号によって占有されるリソースである。
【００３４】
第２態様又は前記可能な実施形態のいずれかに関連して、第２態様の別の可能な実施形態では、前記ダウンリンク信号はチャネル状態情報参照信号（ＣＳＩ−ＲＳ）又は同期信号ブロックである。
【００３５】
第２態様又は前記可能な実施形態のいずれかに関連して、第２態様の別の可能な実施形態では、前記ＳＲＳリソースグループは複数のＳＲＳリソースを含み、前記目標送信電力に応じて、前記ＳＲＳリソースグループにおけるＳＲＳリソースにおいてそれぞれＳＲＳをネットワーク装置に送信することは、
前記目標送信電力に応じて、前記ＳＲＳリソースグループにおける異なるＳＲＳリソースにおいて、異なる送信ビーム又は異なる送信アンテナを使用してそれぞれＳＲＳを前記ネットワーク装置に送信することを含む。
【００３６】
第２態様又は前記可能な実施形態のいずれかに関連して、第２態様の別の可能な実施形態では、前記ＳＲＳリソースグループは、アップリンクビーム管理、又は送信アンテナの選択又はＣＳＩ取得に使用されるＳＲＳリソースグループである。
【００３７】
第２態様又は前記可能な実施形態のいずれかに関連して、第２態様の別の可能な実施形態では、前記ＳＲＳリソースグループは、１つの非周期的ＳＲＳトリガーシグナリングによってトリガーされる１組の非周期的ＳＲＳ伝送をベアリングするためのものであり、又は、
前記ＳＲＳリソースグループは、１つの永続的ＳＲＳアクティベーションシグナリングによってアクティベーションされる１組の永続的ＳＲＳ伝送をベアリングするためのものである。
【００３８】
第３態様では、端末装置を提供し、上記態様のいずれか又はその可能な実施形態のいずれかに記載の方法を実行する。具体的に、前記端末装置は、上記態様のいずれか又はその可能な実施形態のいずれかに記載の方法を実行するための機能モジュールを備える。
【００３９】
第４態様では、端末装置を提供し、プロセッサ、メモリ及び送受信機を備える。前記プロセッサ、前記メモリ及び前記送受信機の間には内部接続通路によって相互に通信し、制御及び／又はデータ信号を伝送し、前記ネットワーク装置に上記態様のいずれか又はその可能な実施形態のいずれかに記載の方法を実行させる。
【００４０】
第５態様では、コンピュータ可読媒体を提供し、コンピュータプログラムを記憶することに用いられ、前記コンピュータプログラムは上記態様のいずれか又はその可能な実施形態のいずれかに記載の方法を実行するための命令を含む。
【００４１】
第６態様では、命令を含むコンピュータプログラム製品を提供し、コンピュータによって実行されると、コンピュータに上記態様のいずれか又はその可能な実施形態のいずれかに記載の方法を実行させる。
【図面の簡単な説明】
【００４２】
本願の実施例の技術案をより明瞭に説明するために、以下、実施例又は従来技術の説明に必要な図面を簡単に説明し、明らかなように、以下で説明される図面は単に本願のいくつかの実施例であり、当業者であれば、創造的な労働をせずに、これらの図面に基づいて他の図面を想到し得る。
【００４３】
【図１】図１は本願の実施例に係る無線通信システムの模式図である。
【図２】図２は本願の実施例に係る無線通信方法の概略フローチャートである。
【図３】図３は本願の実施例に係る無線通信方法の概略フローチャートである。
【図４】図４は本願の実施例に係る端末装置の概略ブロック図である。
【図５】図５は本願の実施例に係るシステムチップの概略ブロック図である。
【図６】図６は本願の実施例に係る通信装置の概略ブロック図である。
【発明を実施するための形態】
【００４４】
以下、本願の実施例の図面を参照して本願の実施例の技術案を説明し、明らかなように、説明される実施例は本願の一部の実施例であり、すべての実施例ではない。本願の実施例に基づいて、当業者が創造的な努力をせずに想到し得る他の実施例はすべて本願の保護範囲に属する。
【００４５】
本願の実施例に係る技術案は、例えば、モバイル通信用グローバル（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロングタームエボリューション（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システム又は将来の５Ｇシステム（新無線（Ｎｅｗ  Ｒａｄｉｏ、ＮＲ）とも呼ばれる）等の各種の通信システムに適用できる。
【００４６】
図１は本願の実施例を適用できる無線通信システム１００を示す。該無線通信システム１００はネットワーク装置１１０を備え得る。ネットワーク装置１００は端末装置と通信する装置であり得る。ネットワーク装置１００は特定の地理的エリアに通信カバレッジを提供でき、且つ該カバレッジエリア内に位置する端末装置（例えば、ＵＥ）と通信可能である。選択肢として、該ネットワーク装置１００はＧＳＭシステム又はＣＤＭＡシステムにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、ＬＴＥシステムにおける発展型基地局（Ｅｖｏｌｕｔｉｏｎａｌ  Ｎｏｄｅ  Ｂ、ｅＮＢ又はｅＮｏｄｅＢ）、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラであってもよく、又は該ネットワーク装置は中継局、アクセスポイント、車載装置、ウェアラブル装置、将来の５Ｇネットワークにおけるネットワーク側装置又は将来の発展型地上波公共移動通信ネットワーク（Ｐｕｂｌｉｃ  Ｌａｎｄ  Ｍｏｂｉｌｅ  Ｎｅｔｗｏｒｋ、ＰＬＭＮ）におけるネットワーク装置等であってもよい。
【００４７】
該無線通信システム１００はネットワーク装置１１０のカバレッジエリア内に位置する少なくとも１つの端末装置１２０を更に備える。端末装置１２０は移動型又は固定型であり得る。選択肢として、端末装置１２０とはアクセス端末、ユーザー装置（Ｕｓｅｒ  Ｅｑｕｉｐｍｅｎｔ、ＵＥ）、ユーザーユニット、ユーザー局、移動局、移動ステーション、遠隔局、遠隔端末、移動装置、ユーザー端末、端末、無線通信装置、ユーザーエージェント又はユーザーデバイスを指してもよい。アクセス端末はセルラーホン、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティング装置又は無線モデムに接続される他の処理装置、車載装置、ウェアラブル装置、将来の５Ｇネットワークにおける端末装置又は将来の発展型ＰＬＭＮにおける端末装置等であってもよい。
【００４８】
選択肢として、端末装置１２０の間にはデバイスツーデバイス（Ｄｅｖｉｃｅ  ｔｏ  Ｄｅｖｉｃｅ、Ｄ２Ｄ）通信を行うようにしもてよい。
【００４９】
選択肢として、５Ｇシステム又はネットワークは新無線（Ｎｅｗ  Ｒａｄｉｏ、ＮＲ）システム又はネットワークと呼ばれてもよい。
【００５０】
図１は１つのネットワーク装置及び２つの端末装置を例示し、選択肢として、該無線通信システム１００は複数のネットワーク装置を備え、且つ各ネットワーク装置のカバレッジエリア内に他の数の端末装置が含まれるようにしもてよく、本願の実施例ではそれを限定しない。
【００５１】
選択肢として、該無線通信システム１００はネットワークコントローラ、モビリティ管理エンティティ等の他のネットワークエンティティを更に備えてもよく、本願の実施例ではそれを限定しない。
【００５２】
なお、本明細書では、用語「システム」と「ネットワーク」は常に交換して使用してもよい。本明細書では、用語「及び／又は」は単に関連対象を説明する関連関係であり、３種の関係が存在することを示し、例えば、Ａ及び／又はＢは、Ａのみが存在すること、Ａ及びＢが同時に存在すること、Ｂのみが存在することという３種の状況を示してもよい。また、本明細書では、記号「／」は一般には前後の関連対象が「又は」の関係を有することを示す。
【００５３】
図２は本願の実施例に係る無線通信方法２００の概略フローチャートである。選択肢として、該方法２００は図１に示されるシステムに適用されるが、これに限定されない。選択肢として、該方法２００は端末装置によって実行されてもよい。
【００５４】
図２に示すように、該方法２００は下記２１０〜２３０の少なくとも一部を含む。
【００５５】
２１０では、端末装置はＳＲＳリソースグループに対応する第１アップリンク信号又は第１ダウンリンク信号に基づいて、ＳＲＳリソースグループに対して閉ループ電力制御パラメータを決定する。
【００５６】
なお、本願の実施例では、端末装置がＳＲＳリソースグループに対して閉ループ電力制御パラメータを決定することを、ＳＲＳリソースグループにおけるＳＲＳリソースに対して閉ループ電力制御パラメータを決定することとして理解でき、場合によっては、同等置換できる。選択肢として、該ＳＲＳリソースグループは１つ又は複数のＳＲＳリソースを含み得る。
【００５７】
選択肢として、ネットワーク装置はＳＲＳリソースグループにおけるＳＲＳリソースを構成してもよく、又は、ＳＲＳリソースグループにおけるＳＲＳリソースの構成は予め設定されてもよい。
【００５８】
選択肢として、ＳＲＳリソースグループにおける各ＳＲＳリソースの構成は、該ＳＲＳリソースにおいてＳＲＳを送信する周期、占有される時間領域リソース、占有される周波数領域リソース、占有される空間領域リソース、使用されるコード領域リソース、及び／又はトリガーシグナリング受信後のＳＲＳ送信回数等のうちの少なくとも１種の構成を含む。
【００５９】
選択肢として、該ＳＲＳリソースグループにおける各ＳＲＳリソースは独立した構成パラメータ、例えば、ＳＲＳの送信周期、占有される時間領域リソース、占有される周波数領域リソース、占有される空間領域リソース、使用されるコード領域リソース、及び／又はトリガーシグナリング受信後のＳＲＳ送信回数等を有してもよく、これらの独立した構成パラメータはＳＲＳリソースごとに、値が異なってもよい。
【００６０】
選択肢として、該ＳＲＳリソースグループにおける各ＳＲＳリソースは共通の構成パラメータ、例えば、ＳＲＳ送信周期を有してもよい。即ち、各ＳＲＳリソースのＳＲＳ送信周期は異なってもよい。
【００６１】
なお、本願の実施例におけるＳＲＳリソースグループの各ＳＲＳリソースのＳＲＳ送信周期は同じであってもよく、この場合、各ＳＲＳ送信周期内に、各ＳＲＳリソースにおいてＳＲＳを送信する。本願の実施例に係る方法は各周期におけるＳＲＳリソースの送信に適用できる。
【００６２】
選択肢として、ＳＲＳリソースグループはアップリンクビーム管理用のＳＲＳリソースグループである。
【００６３】
具体的に、ＳＲＳに基づくアップリンクビーム管理は送信ビーム管理及び受信ビーム管理を含み得る。
【００６４】
送信ビーム管理について、端末装置は複数のＳＲＳリソースにおいて異なるビームを使用してＳＲＳを送信し、ネットワーク装置は複数のＳＲＳリソースにおける受信信号強度に基づいて少なくとも１つのＳＲＳリソースを選択して端末装置に指示し、それによって端末装置は該ＳＲＳリソースに対応するビームを使用してデータをネットワーク装置に伝送する。
【００６５】
受信ビーム管理について、端末装置は１つ又は複数のＳＲＳリソースにおいて同一のビームを使用してＳＲＳを送信でき、ネットワーク装置は異なる受信ビームに基づいて複数のＳＲＳリソースにおけるＳＲＳ信号を受信し、受信信号強度に基づいてデータ受信用の受信ビームを選択する。
【００６６】
選択肢として、ＳＲＳリソースグループは送信アンテナの選択用のＳＲＳリソースグループである。
【００６７】
具体的に、端末装置は複数のＳＲＳリソースにおいて異なる送信アンテナを使用してＳＲＳを送信し、ネットワーク装置は複数のＳＲＳリソースにおける受信信号強度に基づいて少なくとも１つのＳＲＳリソースを選択して端末装置に指示し、それによって端末装置は該ＳＲＳリソースに対応する送信アンテナを使用してデータをネットワーク装置に伝送する。
【００６８】
選択肢として、ＳＲＳリソースグループはＣＳＩの取得に使用され、該ＣＳＩはアップリンクチャネルのＣＳＩ又はダウンリンクチャネルのＣＳＩであってもよく、ダウンリンクチャネルのＣＳＩの場合、本願はアップリンク・ダウンリンク相互性を有するシーンに適用できる。選択肢として、ＳＲＳリソースグループは、１つの非周期的ＳＲＳトリガーシグナリングによってトリガーされる１組の非周期的ＳＲＳ伝送をベアリングすることに用いられる。
【００６９】
具体的に、ネットワーク装置は必要に応じて非周期的ＳＲＳトリガーシグナリングをトリガーでき、該非周期トリガーシグナリングを受信すると、端末装置は該ＳＲＳリソースグループを利用して１組の非周期的ＳＲＳ伝送を実行する。前記非周期的ＳＲＳトリガーシグナリングはＤＣＩによってベアリングされてもよい。
【００７０】
選択肢として、ＳＲＳリソースグループは、１つの永続的ＳＲＳアクティベーションシグナリングによってアクティベーションされる１組の永続的ＳＲＳ伝送をベアリングすることに用いられる。
【００７１】
具体的に、ネットワーク装置はＳＲＳアクティベーションシグナリングによって永続的ＳＲＳ伝送をアクティベーションすることができ、該ＳＲＳアクティベーションシグナリングを受信すると、端末装置は該ＳＲＳリソースグループを利用して１組の永続的ＳＲＳ伝送を実行し、永続的ＳＲＳ伝送は周期的ＳＲＳ伝送であってもよい。
【００７２】
選択肢として、端末装置はＳＲＳリソースグループにおけるＳＲＳリソースに対して同一の閉ループ電力制御パラメータを決定することができる。
【００７３】
なお、各ＳＲＳリソースに使用される閉ループ電力制御パラメータが同一である場合、１つのＳＲＳリソースグループに対して１つの閉ループ電力制御パラメータのみを決定してもよく（即ち、閉ループ電力制御パラメータの決定動作は１回だけ実行してもよい）、リソースごとに１つの閉ループ電力制御パラメータを決定する必要がない。
【００７４】
具体的に、送信ビーム管理又は受信ビーム管理について、端末装置は異なるＳＲＳリソースにおいて送信されるＳＲＳ信号に同一の送信電力を使用でき、この場合、ネットワーク装置は受信信号強度に基づいて、より適切な送信／受信ビームを選択できる。ＳＲＳリソースグループにおけるＳＲＳリソースに対して同一の閉ループ電力制御パラメータを決定する場合、同一又は類似の送信電力を決定でき、それによって端末装置は同一又は類似の送信電力を利用してＳＲＳリソースを送信することができる。
【００７５】
選択肢として、同一の第１アップリンク信号又は第１ダウンリンク信号に基づいて、ＳＲＳリソースグループにおけるＳＲＳリソースに対して閉ループ電力制御パラメータを決定する。
【００７６】
具体的に、同一又は類似の閉ループ電力制御パラメータを決定するために、端末装置は同一の第１アップリンク信号又は第１ダウンリンク信号に基づいてＳＲＳリソースグループにおけるＳＲＳリソースに対して閉ループ電力制御パラメータを決定してもよい。
【００７７】
選択肢として、前記第１アップリンク信号の送信電力を計算する時に使用される閉ループ電力制御パラメータを、前記閉ループ電力制御パラメータとして決定する。
【００７８】
例えば、第１アップリンク信号は最近送信されたＰＵＣＣＨである場合、該ＰＵＣＣＨの送信電力を計算する時に使用される閉ループ電力制御パラメータを、前記ＳＲＳリソースグループに対して決定される閉ループ電力制御パラメータとしてもよい。
【００７９】
例えば、第１アップリンク信号はＳＲＳリソースグループにおける１つのＳＲＳリソースで伝送されるＳＲＳである場合、該１つのＳＲＳリソースに対して閉ループ電力制御パラメータを計算して、算出された該閉ループ電力制御パラメータを、ＳＲＳリソースグループにおけるすべてのＳＲＳリソースに対応する閉ループ電力制御パラメータとすることができる。
【００８０】
例えば、第１アップリンク信号は最近受信されたＳＲＩによって指示されるＳＲＳリソースにおいて伝送されるＳＲＳである場合、端末装置は該ＳＲＩを受信すると、該ＳＲＩによって指示されるＳＲＳリソースにおいてＳＲＳを送信する時に使用される閉ループ電力制御パラメータを決定し、該閉ループ電力制御パラメータを、ＳＲＳリソースグループにおけるすべてのＳＲＳリソースに対応する閉ループ電力制御パラメータとすることができる。勿論、端末装置は該ＳＲＩを受信すると、該ＳＲＩによって指示されるＳＲＳリソースに対して閉ループ電力制御パラメータを再決定して、算出された該閉ループ電力制御パラメータを、ＳＲＳリソースグループにおけるすべてのＳＲＳリソースに対応する閉ループ電力制御パラメータとするようにしてもよい。
【００８１】
選択肢として、端末装置はＳＲＳリソースグループに対応する第１アップリンク信号又は第１ダウンリンク信号に基づいて、ＳＲＳリソースグループに対して閉ループ電力制御パラメータを決定する前に、端末装置は該閉ループ電力制御パラメータを決定するための第１アップリンク信号又は第１ダウンリンク信号を選択してもよい。
【００８２】
勿論、本願の実施例に係る第１アップリンク信号又は第１ダウンリンク信号に基づいて閉ループ電力制御パラメータを決定することは、第１アップリンク信号又は第１アップリンク信号によって占有されるリソースに基づいて閉ループ電力制御パラメータを決定することであってもよく、この場合、端末装置が必ずしも第１アップリンク信号又は第１ダウンリンク信号を決定するとは限らなく、第１アップリンク信号又は第１ダウンリンク信号のリソースを使用することを意味する。即ち、閉ループ電力制御パラメータを決定する時、本願の実施例に係る第１アップリンク信号又は第１ダウンリンク信号のリソースを使用する場合、本願の実施例の保護範囲に属する。
【００８３】
一実施形態では、端末装置はネットワーク装置から送信された第１指示情報を受信し、第１指示情報は、ＳＲＳリソースグループに対応する第１アップリンク信号又は第１ダウンリンク信号を指示することに用いられ、又は第１アップリンク信号をベアリングするリソース、第１ダウンリンク信号をベアリングするリソース、又は第１ビーム又は第１ビームペアを利用して信号の送受信を行うリソースを指示することに用いられる。
【００８４】
具体的に、ネットワーク装置は実際の状況に応じて、端末装置が閉ループ電力制御パラメータを決定することに使用される第１アップリンク信号又は第１ダウンリンク信号を指示し、又は第１アップリンク信号をベアリングするリソース又は第１ダウンリンク信号をベアリングするリソースを指示するようにしてもよい。
【００８５】
例えば、ネットワーク装置は端末装置が高い送信電力でＳＲＳ送信を行うことを必要とする場合、より高い閉ループ電力調整値を算出できるアップリンク信号、ダウンリンク信号、該アップリンク信号又はダウンリンク信号をベアリングするリソースを端末装置に指示してもよい。
【００８６】
選択肢として、該第１指示情報はＳＲＳリソースグループの構成情報とともに無線リソース制御（Ｒａｄｉｏ  Ｒｅｓｏｕｒｃｅ  Ｃｏｎｔｒｏｌ、ＲＲＣ）シグナリングによって端末装置に対して構成されてもよく、又は、該第１指示情報は該ＳＲＳリソースグループのトリガーシグナリング又はアクティベーションシグナリングとともにダウンリンク制御情報（Ｄｏｗｎｌｉｎｋ  Ｃｏｎｔｒｏｌ  Ｉｎｆｏｒｍａｔｉｏｎ、ＤＣＩ）又はメディアアクセス制御（Ｍｅｄｉａ  Ａｃｃｅｓｓ  Ｃｏｎｔｒｏｌ、ＭＡＣ）コントロールエレメント（Ｃｏｎｔｒｏｌ  Ｅｌｅｍｅｎｔ、ＣＥ）によって端末装置に対して指示されてもよい。
【００８７】
選択肢として、該第１指示情報はＳＲＳリソースグループの１つのＳＲＳリソースを指示することに用いられ、それによって端末装置は該ＳＲＳリソースに基づいて第１アップリンク信号を決定し（即ち、該ＳＲＳリソースによって送信されるＳＲＳ）、それによって閉ループ電力制御パラメータを決定し、又は、直接に該ＳＲＳリソース（例えば、該ＳＲＳリソースによって占有されるスロットのインデックス）を利用して閉ループ電力制御パラメータを決定することができる。
【００８８】
又は、該第１指示情報はＳＲＳリソースグループに対応する１つのアップリンク信号又は１つのダウンリンク信号を指示することに用いられる。
【００８９】
例えば、第１指示情報は、該ＳＲＳリソースグループにおけるあるＳＲＳリソースによってベアリングされるアップリンク信号、又は、該ＳＲＳリソースグループにおけるあるＳＲＳリソースに対応するＣＳＩ−ＲＳリソースによってベアリングされるダウンリンク信号を指示し、それによって端末装置は該アップリンク信号又はダウンリンク信号によって占有されるリソース（例えば、該リソースによって占有されるスロットインデックス）に基づいて、閉ループ電力制御パラメータを決定することができる。
【００９０】
別の実施形態では、第１プリセット関係に基づいて、ＳＲＳリソースグループに対応する第１アップリンク信号又は第１ダウンリンク信号を決定する。選択肢として、該第１プリセット関係は出荷時に事前に設定されたものである。
【００９１】
選択肢として、該第１プリセット関係は、ＳＲＳリソースグループに対して閉ループ電力制御パラメータを決定するための第１アップリンク信号又は第１ダウンリンク信号がどのアップリンク信号又はダウンリンク信号を指示してもよく、該関係に基づいて、該ＳＲＳリソースグループに対して第１アップリンク信号又は第１ダウンリンク信号を選択できる。
【００９２】
例えば、第１プリセット関係は、ＳＲＳリソースグループに対して閉ループ電力制御パラメータを決定する第１アップリンク信号が、最近送信された物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）又は物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）信号であることを指示すると、端末装置は最近送信されたＰＵＳＣＨ又はＰＵＣＣＨ信号を該第１アップリンク信号とすることができる。
【００９３】
例えば、第１プリセット関係は、ＳＲＳリソースグループに対して閉ループ電力制御パラメータを決定する第１ダウンリンク信号が、端末装置が最近アップリンク送信ビームの決定に使用するダウンリンク信号であることを指示すると、端末装置は最近アップリンク送信ビームを決定することに使用されるダウンリンク信号を第１ダウンリンク信号とすることができる。
【００９４】
選択肢として、本願の実施例に係る閉ループ電力制御パラメータは、閉ループ電力調整値、又は閉ループ電力調整関数におけるスロットインデックス、又は閉ループ電力調整関数における閉ループ電力制御プロセスインデックスであってもよい。
【００９５】
選択肢として、端末装置は前記第１ダウンリンク信号の伝送が所在するスロットインデックス又は前記第１アップリンク信号の伝送が所在するスロットインデックスを、前記ＳＲＳリソースグループに対して電力制御を行うのに使用される閉ループ電力調整関数におけるスロットインデックスとして決定する。
【００９６】
具体的に、ＳＲＳ信号の送信電力は以下の式によって決定されてもよい。
【００９７】
【数１】
2021502730.tif 000003
式中、ｉはスロットインデックスで、ｊは開ループ電力制御パラメータインデックスで、ｍはＳＲＳ電力オフセットのインデックスで、ｋはパスロス推定用の参照信号（ＲＳ）リソースのインデックスである。ｈｃ（ｉ，ｌ）は閉ループ電力調整関数で、ｌは閉ループ電力制御プロセスのインデックスである。
【００９８】
本願の実施例に係る閉ループ電力制御パラメータは上記式における閉ループ電力調整関数ｈｃ（ｉ，ｌ）中のスロットインデックスｉ又は閉ループ電力制御プロセスのインデックスｌであってもよく、閉ループ電力調整関数から得られる閉ループ電力調整値であってもよい。
【００９９】
なお、本願の実施例に係る閉ループ電力制御パラメータはスロットインデックスであってもよく、他の時間ユニットのインデックス、例えば、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルインデックス、又はサブフレームインデックスであってもよい。
【０１００】
選択肢として、本願の実施例に係るスロットはミニスロットであり得る。
【０１０１】
選択肢として、該第１アップリンク信号はＳＲＳ、ＰＵＳＣＨ、ＰＵＣＣＨ、ＰＲＡＣＨ、ＤＭＲＳ又はＰＴＲＳである。
【０１０２】
選択肢として、第１アップリンク信号はＳＲＳリソースグループにおける１つのＳＲＳリソースで伝送されるＳＲＳである。
【０１０３】
一実施形態では、ネットワーク装置は該ＳＲＳリソースグループにおける前記ＳＲＳリソースのインデックスを指示してもよく、該ＳＲＳリソースグループにおける他のＳＲＳリソースはいずれも該ＳＲＳリソースと同じ閉ループ電力制御パラメータを使用する。
【０１０４】
一実施形態では、前記第１アップリンク信号は、前記ＳＲＳリソースグループにおけるＳＲＳリソースインデックスが最も低いＳＲＳリソースで伝送されるアップリンク信号である。
【０１０５】
一実施形態では、前記第１アップリンク信号は前記ＳＲＳリソースグループにおける時間順に最も早いＳＲＳリソースで伝送されるアップリンク信号である。
【０１０６】
具体的に、ＳＲＳリソースグループにおけるＳＲＳリソースのインデックスが時間昇順で並べられる場合、ＳＲＳリソースグループにおける時間順に最も早いＳＲＳリソースはインデックスが最も低いＳＲＳリソースであってもよい。
【０１０７】
選択肢として、第１アップリンク信号は、最近受信されたＳＲＳリソース指示情報（ＳＲＳ  Ｒｅｓｏｕｒｃｅ  Ｉｎｆｏｒｍａｔｉｏｎ、ＳＲＩ）によって指示されるＳＲＳリソースにおいて伝送されるＳＲＳである。
【０１０８】
具体的に、端末装置は前記ＳＲＩを受信する前に、前記ＳＲＩによって指示されるＳＲＳリソースを含める１つのＳＲＳリソース集合（本願の実施例に係るリソースグループであってもよい）においてＳＲＳ信号を伝送してもよく、選択肢として、各ＳＲＳリソースは１つのビームを使用して伝送してもよい。前記ＳＲＩは一般的にアップリンクデータ伝送又はアップリンク制御情報伝送をスケジューリングするＤＣＩによって端末装置に対して指示される。例えば、前記非周期的ＳＲＳをトリガーするＤＣＩによって端末に対して指示される。
【０１０９】
選択肢として、前記第１アップリンク信号は、端末装置が最近前記ＳＲＳリソースグループ以外の他のＳＲＳリソースにおいて伝送したＳＲＳである。
【０１１０】
前記他のＳＲＳリソースは前記ネットワーク装置がチャネル状態情報（Ｃｈａｎｎｅｌ  Ｓｔａｔｅ  Ｉｎｆｏｒｍａｔｉｏｎ、ＣＳＩ）を取得することに用いられるＳＲＳリソースである。この場合、本願の実施例に係るＳＲＳリソースグループにおけるＳＲＳリソースはビーム管理、例えば、アップリンクビーム管理又はダウンリンクビーム管理に使用されてもよい。
【０１１１】
選択肢として、第１ダウンリンク信号はＣＳＩ−ＲＳ、同期信号、同期信号ブロック、ＴＲＳ、ＰＴＲＳ、ＰＤＳＣＨ、ＰＤＣＣＨ又はＤＭＲＳである。
【０１１２】
例えば、ネットワーク装置は上位層シグナリングによって複数のＣＳＩ−ＲＳリソースを予め構成し、更にそのうちの１つのＣＳＩ−ＲＳリソースのスロットインデックスを、閉ループ電力制御パラメータの決定用のものとして指示する。
【０１１３】
例えば、ネットワーク装置は複数の同期信号ブロックを送信して、閉ループ電力制御パラメータを取得するための同期信号ブロックのスロットインデックスを指示してもよく、それによって端末装置は前記インデックスに基づいて閉ループ電力制御パラメータを決定できる。
【０１１４】
選択肢として、前記第１ダウンリンク信号は前記ＳＲＳリソースグループに対して電力制御を行うパスロス推定値を取得するためのダウンリンク信号である。この場合、前記ダウンリンク信号はチャネル状態情報参照信号（ＣＳＩ−ＲＳ）又は同期信号ブロックである。
【０１１５】
具体的に、電力制御する時、更にパスロス推定値を決定する必要があり、端末装置はあるダウンリンク信号に基づいてダウンリンクパスロス値を推定してもよく、ＳＲＳリソースグループのＳＲＳリソースは同一のダウンリンク信号を使用してダウンリンクパスロス値を推定し、ダウンリンクパスロス値推定用のダウンリンク信号は更に閉ループ電力制御パラメータの決定に用いられてもよい。
【０１１６】
選択肢として、ＳＲＳリソースに対応するパスロス値を計算することは、該ＳＲＳリソースに対応するＣＳＩ−ＲＳリソースにおいてＣＳＩ−ＲＳを受信して、該ＣＳＩ−ＲＳの送信電力及び受信電力に基づいてパスロス値を計算することであってもよい。
【０１１７】
選択肢として、ＣＳＩ−ＲＳリソースはＳＲＳリソースに一対一対応してもよく、又は、１つのＣＳＩ−ＲＳリソースは複数のＳＲＳリソースに対応してもよい。
【０１１８】
選択肢として、第１ダウンリンク信号の受信電力及び送信電力に基づいてパスロス値を推定し、該推定されたパスロス値を、ＳＲＳリソースグループに対応するパスロス推定値として決定する。
【０１１９】
例えば、受信電力をＰ１、送信電力をＰ２とすると、パスロス値はＰＬ＝Ｐ１／Ｐ２で示される。パスロス推定値は通常ｄＢで示され、即ちＰＬ（ｄＢ）＝１０＊ｌｇ（Ｐ１／Ｐ２）（ｄＢ）である。
【０１２０】
選択肢として、第１ダウンリンク信号の送信電力はネットワーク装置からダウンリンクシグナリングによって端末装置に予め通知され、例えば、第１ダウンリンク信号がＣＳＩ−ＲＳである場合、該送信電力は該ＣＳＩ−ＲＳを送信するＣＳＩ−ＲＳリソースの構成情報に含まれて端末装置に通知されてもよい。
【０１２１】
選択肢として、ＣＳＩ−ＲＳ又は同期信号ブロックに加えて、第１ダウンリンク信号は他のダウンリンク信号、例えば、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）であってもよい。
【０１２２】
２２０では、閉ループ電力制御パラメータに基づいて、端末装置はＳＲＳリソースグループに対して目標送信電力を決定する。
【０１２３】
なお、本願の実施例では、端末装置がＳＲＳリソースグループに対して目標送信電力を決定することを、ＳＲＳリソースグループにおけるＳＲＳリソースに対して目標送信電力を決定することとして理解でき、場合によっては、同等置換できる。
【０１２４】
選択肢として、端末装置はＳＲＳリソースグループにおけるＳＲＳリソースに対して同一の送信電力を決定する。
【０１２５】
選択肢として、端末装置は同一の閉ループ電力制御パラメータを利用して、ＳＲＳリソースグループにおけるＳＲＳリソースに対して目標送信電力を決定する。
【０１２６】
なお、各ＳＲＳリソースに使用される送信電力が同じである場合、１つのＳＲＳリソースグループに１つの送信電力のみを決定すればよく、リソースごとに１つの送信電力を決定する必要がない。
【０１２７】
選択肢として、以下の式に基づいて閉ループ電力制御パラメータを決定してもよい。
【０１２８】
【数２】
2021502730.tif 000004
式中、ｉはスロットインデックスで、ｊは開ループ電力制御パラメータインデックスで、ｍはＳＲＳ電力オフセットのインデックスで、ｋはパスロス推定用の参照信号（ＲＳ）リソースのインデックスである。ｈｃ（ｉ，ｌ）は閉ループ電力調整関数で、ｌは閉ループ電力制御プロセスのインデックスである。
【０１２９】
２３０では、目標送信電力に応じて、ＳＲＳリソースグループにおけるＳＲＳリソースにおいて、端末装置はＳＲＳをネットワーク装置に送信する。
【０１３０】
選択肢として、端末装置は目標送信電力に応じて、ＳＲＳリソースグループにおける異なるＳＲＳリソースにおいて、異なる送信ビームを使用して、それぞれＳＲＳをネットワーク装置に送信してもよく、それによってネットワーク装置は同一の受信ビームを使用してそれぞれＳＲＳリソースグループにおけるＳＲＳリソースにおいてＳＲＳを受信し、複数のＳＲＳリソースでの受信信号強度に基づいて少なくとも１つのＳＲＳリソースを選択して端末装置に指示してもよく、それによって端末装置は該ＳＲＳリソースに対応するビームを使用してデータを伝送することができる。
【０１３１】
選択肢として、端末装置は目標送信電力に応じて、ＳＲＳリソースグループにおける異なるＳＲＳリソースにおいて、同一の送信ビームを使用して、それぞれＳＲＳをネットワーク装置に送信してもよく、それによってネットワーク装置は異なる受信ビームに基づいて複数のＳＲＳリソースにおけるＳＲＳ信号を受信し、受信信号強度に基づいてデータを受信するための受信ビームを選択する。
【０１３２】
選択肢として、端末装置は目標送信電力に応じて、ＳＲＳリソースグループにおける異なるＳＲＳリソースにおいて、異なる送信アンテナを使用して、それぞれＳＲＳをネットワーク装置に送信してもよく、それによってネットワーク装置はそれぞれＳＲＳリソースグループにおけるＳＲＳリソースにおいてＳＲＳを受信し、複数のＳＲＳリソースにおける受信信号強度に基づいて少なくとも１つのＳＲＳリソースを選択して端末装置に指示することができ、それによって端末装置は該ＳＲＳリソースに対応する送信アンテナを使用してデータを伝送することができる。従って、本願の実施例では、端末装置はＳＲＳリソースグループに対応する第１アップリンク信号又は第１ダウンリンク信号に基づいて、前記ＳＲＳリソースグループに対して閉ループ電力制御パラメータを決定し、前記閉ループ電力制御パラメータに基づいて、前記ＳＲＳリソースグループに対して目標送信電力を決定することで、適切な送信電力を選択してＳＲＳ送信を実行することができる。
【０１３３】
図３は本願の実施例に係る無線通信方法３００の概略フローチャートである。該方法３００は下記３１０〜３２０の少なくとも一部を含む。
【０１３４】
３１０では、端末装置は参照リソースによって占有される時間ユニットのインデックスを閉ループ電力制御パラメータとして、ＳＲＳリソースグループに対して目標送信電力を決定する。
【０１３５】
なお、本願の実施例におけるＳＲＳリソースグループの各ＳＲＳリソースのＳＲＳ送信周期は同じであってもよく、この場合、各ＳＲＳ送信周期内に、各ＳＲＳリソースにおいていずれもＳＲＳを送信する。本願の実施例に係る方法は各周期におけるＳＲＳリソースの送信に適用できる。
【０１３６】
選択肢として、前記ＳＲＳリソースグループはアップリンクビーム管理、送信アンテナの選択又はＣＳＩの取得に使用されてもよい。
【０１３７】
選択肢として、本願の実施例に係る時間ユニットはスロット、ミニスロット又はＯＦＤＭシンボル等であってもよい。
【０１３８】
選択肢として、同一の前記参照リソースによって占有される時間ユニットのインデックスを閉ループ電力制御パラメータとして、前記ＳＲＳリソースグループにおけるＳＲＳリソースに対して目標送信電力を決定する。
【０１３９】
具体的に、同一の閉ループ電力制御パラメータを決定するために、端末装置は同一の参照時間ユニットを、ＳＲＳリソースグループにおけるＳＲＳリソースに対応する閉ループ電力制御パラメータとしてもよい。
【０１４０】
選択肢として、端末装置は参照リソースによって占有される時間ユニットのインデックスを閉ループ電力制御パラメータとして、ＳＲＳリソースグループに対して目標送信電力を決定する前に、端末装置は参照リソースを決定してもよい。
【０１４１】
一実施形態では、端末装置はネットワーク装置から送信された第１指示情報を受信し、第１指示情報はＳＲＳリソースグループに対応する参照リソースを指示するためのものである。
【０１４２】
具体的に、ネットワーク装置は実際の状況に応じて、端末装置が閉ループ電力制御パラメータを決定することに使用される参照リソースを指示してもよい。
【０１４３】
例えば、ネットワーク装置は端末装置が高い送信電力でＳＲＳ送信を行うことを必要とする場合、より高い閉ループ電力調整値を算出できる参照リソースを端末装置に指示してもよい。
【０１４４】
選択肢として、該第１指示情報はＳＲＳリソースグループの構成情報とともに無線リソース制御（Ｒａｄｉｏ  Ｒｅｓｏｕｒｃｅ  Ｃｏｎｔｒｏｌ、ＲＲＣ）シグナリングによって端末装置に対して構成されてもよく、又は、該第１指示情報は該ＳＲＳリソースグループのトリガーシグナリング又はアクティベーションシグナリングとともにダウンリンク制御情報（Ｄｏｗｎｌｉｎｋ  Ｃｏｎｔｒｏｌ  Ｉｎｆｏｒｍａｔｉｏｎ、ＤＣＩ）又はメディアアクセス制御（Ｍｅｄｉａ  Ａｃｃｅｓｓ  Ｃｏｎｔｒｏｌ、ＭＡＣ）コントロールエレメント（Ｃｏｎｔｒｏｌ  Ｅｌｅｍｅｎｔ、ＣＥ）によって端末装置に対して指示されてもよい。
【０１４５】
別の実施形態では、第１プリセット関係に基づいて、ＳＲＳリソースグループに対応する参照リソースを決定する。選択肢として、該第１プリセット関係は出荷時に事前に設定されたものである。
【０１４６】
選択肢として、該第１プリセット関係は、ＳＲＳリソースグループに対して閉ループ電力制御パラメータを決定するための参照リソースを指示してもよく、該関係に基づいて、該ＳＲＳリソースグループに対して第１アップリンク信号又は第１ダウンリンク信号を選択することができる。
【０１４７】
選択肢として、前記参照リソースが複数の時間ユニットを占有する場合、端末装置は参照リソースによって占有される１番目の時間ユニットのインデックスを閉ループ電力制御パラメータとする。
【０１４８】
選択肢として、本願の実施例に係る参照リソースはアップリンクリソースであってもよく、ダウンリンクリソースであってもよい。
【０１４９】
一実施形態では、前記参照リソースは前記ＳＲＳリソースグループにおける１つのＳＲＳリソースである。
【０１５０】
例えば、ネットワーク装置は該ＳＲＳリソースグループにおける前記ＳＲＳリソースのインデックスを指示してもよく、該ＳＲＳリソースグループにおける他のＳＲＳリソースはいずれも該ＳＲＳリソースによって占有されるスロットインデックスを使用して、閉ループ電力制御パラメータを決定する。
【０１５１】
例えば、前記参照リソースは前記ＳＲＳリソースグループにおけるＳＲＳリソースインデックスが最も低いＳＲＳリソースである。
【０１５２】
例えば、前記参照リソースは前記ＳＲＳリソースグループにおける時間順に最も早いＳＲＳリソースである。
【０１５３】
具体的に、ＳＲＳリソースグループにおけるＳＲＳリソースのインデックスが時間昇順で並べられる場合、ＳＲＳリソースグループにおける時間順に最も早いＳＲＳリソースはインデックスが最も低いＳＲＳリソースであってもよい。
【０１５４】
一実施形態では、前記参照リソースは端末装置が最近受信したＳＲＳリソース指示情報によって指示されるＳＲＳリソースである。
【０１５５】
具体的に、端末装置は前記ＳＲＩを受信する前に、前記ＳＲＩによって指示されるＳＲＳリソースを含める１つのＳＲＳリソース集合（本願の実施例に係るリソースグループであってもよい）においてＳＲＳ信号を伝送してもよく、選択肢として、各ＳＲＳリソースは１つのビームを使用して伝送してもよい。前記ＳＲＩは一般的にアップリンクデータ伝送又はアップリンク制御情報伝送をスケジューリングするＤＣＩによって端末装置に対して指示される。例えば、前記非周期的ＳＲＳをトリガーするＤＣＩによって端末に対して指示されてもよい。
【０１５６】
一実施形態では、前記参照リソースは端末装置が最近受信したＳＲＳのＳＲＳリソースであり、前記ＳＲＳリソースは前記ＳＲＳリソースグループ以外の他のＳＲＳリソースである。
【０１５７】
前記他のＳＲＳリソースは前記ネットワーク装置がチャネル状態情報（Ｃｈａｎｎｅｌ  Ｓｔａｔｅ  Ｉｎｆｏｒｍａｔｉｏｎ、ＣＳＩ）を取得するためのＳＲＳリソースである。この場合、本願の実施例に係るＳＲＳリソースグループにおけるＳＲＳリソースはビーム管理、例えば、アップリンクビーム管理又はダウンリンクビーム管理に使用されてもよい。
【０１５８】
一実施形態では、前記参照リソースは前記ＳＲＳリソースグループである。
【０１５９】
具体的に、端末装置は該ＳＲＳリソースグループによって占有される１つのスロットをＳＲＳリソースグループの閉ループ電力制御パラメータとしてもよく、例えば、１周期にＳＲＳリソースグループによって占有される１番目のスロットであってもよい。
【０１６０】
一実施形態では、前記参照リソースは前記ＳＲＳリソースグループに対して電力制御を行うパスロス推定値を取得するためのダウンリンク信号によって占有されるリソースである。
【０１６１】
選択肢として、前記ダウンリンク信号はチャネル状態情報参照信号（ＣＳＩ−ＲＳ）又は同期信号ブロックである。
【０１６２】
選択肢として、端末装置はＳＲＳリソースグループにおけるＳＲＳリソースに対して同一の送信電力を決定する。
【０１６３】
なお、各ＳＲＳリソースに使用される送信電力が同じである場合、１つのＳＲＳリソースグループに対して１つの送信電力のみを決定すればよく、リソースごとに１つの送信電力を決定する必要がない。
【０１６４】
選択肢として、以下の式に基づいて閉ループ電力制御パラメータを決定してもよい。
【０１６５】
【数３】
2021502730.tif 000005
式中、ｉはスロットインデックスで、ｊは開ループ電力制御パラメータインデックスで、ｍはＳＲＳ電力オフセットのインデックスで、ｋはパスロス推定用の参照信号（ＲＳ）リソースのインデックスである。ｈｃ（ｉ，ｌ）は閉ループ電力調整関数で、ｌは閉ループ電力制御プロセスのインデックスである。
【０１６６】
３２０では、前記目標送信電力に応じて、前記ＳＲＳリソースグループにおけるＳＲＳリソースにおいてＳＲＳをネットワーク装置に送信する。
【０１６７】
選択肢として、端末装置は目標送信電力に応じて、ＳＲＳリソースグループにおける異なるＳＲＳリソースにおいて、異なる送信ビームを使用して、それぞれＳＲＳをネットワーク装置に送信してもよく、それによってネットワーク装置は同一の受信ビームを利用して、それぞれＳＲＳリソースグループにおけるＳＲＳリソースにおいてＳＲＳを受信し、複数のＳＲＳリソースにおける受信信号強度に基づいて少なくとも１つのＳＲＳリソースを選択して端末装置に指示してもよく、それによって端末装置は該ＳＲＳリソースに対応するビームを使用してデータを伝送することができる。
【０１６８】
選択肢として、端末装置は目標送信電力に応じて、ＳＲＳリソースグループにおける異なるＳＲＳリソースにおいて、同一の送信ビームを使用して、それぞれＳＲＳをネットワーク装置に送信してもよく、それによってネットワーク装置は異なる受信ビームに基づいて複数のＳＲＳリソースにおけるＳＲＳ信号を受信し、受信信号強度に基づいてデータ受信のための受信ビームを選択する。
【０１６９】
選択肢として、端末装置は目標送信電力に応じて、ＳＲＳリソースグループにおける異なるＳＲＳリソースにおいて、異なる送信アンテナを使用して、それぞれＳＲＳをネットワーク装置に送信してもよく、それによってネットワーク装置はそれぞれＳＲＳリソースグループにおけるＳＲＳリソースにおいてＳＲＳを受信し、複数のＳＲＳリソースにおける受信信号強度に基づいて少なくとも１つのＳＲＳリソースを選択して端末装置に指示してもよく、それによって端末装置は該ＳＲＳリソースに対応する送信アンテナを使用してデータを伝送することができる。
【０１７０】
なお、方法３００については方法２００についての説明、例えば、ビーム管理及びＳＲＳリソースグループについての説明を参照でき、簡潔さの点から、ここでは重複説明を省略する。
【０１７１】
従って、本願の実施例では、端末装置は参照リソースによって占有される時間ユニットのインデックスを閉ループ電力制御パラメータとして、サウンディング参照信号（ＳＲＳ）リソースグループに対して目標送信電力を決定することで、適切な送信電力を選択してＳＲＳ送信を実行することができる。
【０１７２】
図４は本願の実施例に係る端末装置４００の概略ブロック図である。図４に示すように、該端末装置４００は処理ユニット４１０及び通信ユニット４２０を備える。
【０１７３】
選択肢として、該処理ユニット４１０は、サウンディング参照信号（ＳＲＳ）リソースグループに対応する第１アップリンク信号又は第１ダウンリンク信号に基づいて、該ＳＲＳリソースグループに対して閉ループ電力制御パラメータを決定することと、該閉ループ電力制御パラメータに基づいて、該ＳＲＳリソースグループに対して目標送信電力を決定することとに用いられ、該通信ユニット４２０は、該目標送信電力に応じて、該ＳＲＳリソースグループにおけるＳＲＳリソースにおいてＳＲＳをネットワーク装置に送信することに用いられる。
【０１７４】
なお、該端末装置４００は図２に示される方法における端末装置によって実行される関連操作を実行でき、簡潔さの点から、ここでは重複説明を省略する。
【０１７５】
選択肢として、該処理ユニット４１０は、参照リソースによって占有される時間ユニットのインデックスを閉ループ電力制御パラメータとして、サウンディング参照信号（ＳＲＳ）リソースグループに対して目標送信電力を決定することに用いられ、該通信ユニット４２０は、該目標送信電力に応じて、該ＳＲＳリソースグループにおけるＳＲＳリソースにおいてＳＲＳをネットワーク装置に送信することに用いられる。
【０１７６】
なお、該端末装置４００は図３に示される方法における端末装置によって実行される関連操作を実行でき、簡潔さの点から、ここでは重複説明を省略する。
【０１７７】
図５は本願の実施例に係るシステムチップ５００の構造模式図である。図５におけるシステムチップ５００は、内部通信接続線によって接続されてもよい入力インターフェース５０１、出力インターフェース５０２、プロセッサ５０３及びメモリ５０４を備え、前記プロセッサ５０３は前記メモリ５０４におけるコードを実行することに用いられる。
【０１７８】
選択肢として、前記コードが実行されると、前記プロセッサ５０３は方法の実施例における端末装置によって実行される方法を実行する。簡潔さの点から、ここでは重複説明を省略する。
【０１７９】
図６は本願の実施例に係る通信装置６００の概略ブロック図である。図６に示すように、該通信装置６００はプロセッサ６１０及びメモリ６２０を備える。該メモリ６２０にはプログラムコードが記憶されてもよく、該プロセッサ６１０は該メモリ６２０に記憶されるプログラムコードを実行できる。
【０１８０】
選択肢として、図６に示すように、該通信装置６００は送受信機６３０を備えてもよく、プロセッサ６１０は送受信機６３０の外部通信を制御できる。
【０１８１】
選択肢として、該プロセッサ６１０はメモリ６２０に記憶されるプログラムコードを呼び出して、方法の実施例における端末装置の対応する操作を実行することができ、簡潔さの点から、ここでは重複説明を省略する。
【０１８２】
なお、本願の実施例におけるプロセッサは信号処理能力を有する集積回路チップであり得る。実現の過程において、上記方法の実施例の各ステップはプロセッサにおけるハードウェアの集積論理回路又はソフトウェアの形態の命令によって行われてもよい。上記プロセッサは汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブルロジックデバイス、ディスクリートゲート又はトランジスタロジックデバイス、ディスクリートハードウェアユニットであってもよい。本願の実施例に開示されている各方法、ステップ及び論理ブロック図を実現又は実行できる。汎用プロセッサはマイクロプロセッサであってもよく、又は該プロセッサは任意の通常のプロセッサ等であってもよい。本願の実施例に開示されている方法のステップはハードウェアデコードプロセッサによって実行され、又はデコードプロセッサのハードウェア及びソフトウェアモジュールの組合せによって実行されるように直接に具現してもよい。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野の成熟した記憶媒体に位置してもよい。該記憶媒体はメモリに位置し、プロセッサはメモリにおける情報を読み取り、そのハードウェアと組み合わせて上記方法のステップを実行する。
【０１８３】
なお、本願の実施例におけるメモリは揮発性メモリ又は不揮発性メモリであってもよく、又は揮発性メモリと不揮発性メモリの両方を含んでもよい。不揮発性メモリは読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（Ｒａｎｄｏｍ  Ａｃｃｅｓｓ  Ｍｅｍｏｒｙ、ＲＡＭ）であってもよく、外部高速キャッシュメモリとして機能する。制限的ではなく例示的に説明すると、様々な形態のＲＡＭは使用可能であり、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲ  ＲＡＭ）が挙げられる。なお、本明細書に記載のシステム及び方法のメモリはこれら及び任意の適切なタイプのメモリを含むが、それらに限定されない。
【０１８４】
当業者であれば理解できるように、本明細書に開示されている実施例を参照して説明された各例のユニット及びアルゴリズムのステップを電子ハードウェア、又はコンピュータソフトウェアと電子ハードウェアとの組合せによって実現できる。これらの機能をハードウェアで実行するかソフトウェアで実行するかは、技術案の特定の応用及び設計制約条件に応じて決められる。当業者は各特定の応用に対して異なる方法で説明された機能を実現することができるが、この実現は本願の範囲を超えると見なされるべきではない。
【０１８５】
当業者であれば理解できるように、説明の便宜及び簡潔上、上記説明したシステム、装置及びユニットの具体的な動作プロセスについては、上記方法の実施例の対応するプロセスを参照すればよいため、ここでは詳細説明を省略する。
【０１８６】
本願によるいくつかの実施例では、理解すべきように、開示されているシステム、装置及び方法を他の形態で実現できる。例えば、以上説明された装置の実施例は単に例示的なものであり、例えば、前記ユニットの分割は、単に１種のロジック機能分割であり、実際の実現では別の分割方式を採用してもよく、例えば複数のユニット又は要素を別のシステムに結合又は集積してもよく、又はいくつかの特徴を無視したり実行しなかったりしてもよい。また、表示又は検討された相互の結合又は直接結合又は通信接続はいくつかのインターフェース、装置又はユニットを介した間接結合又は通信接続であってもよく、電気的、機械的又は他の形態としてもよい。
【０１８７】
前記分離部材として説明されたユニットは物理的に分離しているものであってもよく、物理的に分離しているものでなくてもよく、ユニットとして表示される部材は物理ユニットであってもよく物理ユニットでなくてもよく、即ち、１つの場所に位置してもよく、複数のネットワークユニットに分散してもよい。実際の必要に応じて一部又はすべてのユニットを選択して本願の実施例の目的を実現することができる。
【０１８８】
また、本願の実施例における各機能ユニットは１つの処理ユニットに集積されてもよく、別々に物理的に存在してもよく、２つ以上のユニットは１つのユニットに集積されてもよい。
【０１８９】
前記機能がソフトウェア機能ユニットの形態で実現され、独立した製品として販売又は使用される場合、１つのコンピュータ可読記憶媒体に記憶されてもよい。このような理解に基づいて、本願の技術案は本質的に又は従来技術に貢献する部分又は該技術案の一部はソフトウェア製品の形態で実施され得て、該コンピュータソフトウェア製品は１つの記憶媒体に記憶され、１つのコンピュータ装置（パーソナルコンピュータ、サーバ、又はネットワーク装置等であってもよい）に本願の各実施例に係る方法の全て又は一部のステップを実行させるための複数の命令を含む。上記記憶媒体はＵディスク、モバイルディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等のプロクラムコードを記憶可能な種々の媒体を含む。
【０１９０】
以上は本願の具体的な実施形態に過ぎず、本願の保護範囲を制限するためのものではなく、当業者が本願に開示された技術範囲内に容易に想到し得る変化や置換はいずれも本願の保護範囲内に含まれる。従って、本願の保護範囲は特許請求の範囲の保護範囲に準じるべきである。
【図１】
2021502730.tif 000006
【図２】
2021502730.tif 000007
【図３】
2021502730.tif 000008
【図４】
2021502730.tif 000009
【図５】
2021502730.tif 000010
【図６】
2021502730.tif 000011
【手続補正書】
【提出日】令和2年9月17日(2020.9.17)
【手続補正１】
【補正対象書類名】明細書
【補正対象項目名】００３９
【補正方法】変更
【補正の内容】
【００３９】
第４態様では、端末装置を提供し、プロセッサ、メモリ及び送受信機を備える。前記プロセッサ、前記メモリ及び前記送受信機の間には内部接続通路によって相互に通信し、制御及び／又はデータ信号を伝送し、前記端末装置に上記態様のいずれか又はその可能な実施形態のいずれかに記載の方法を実行させる。
【手続補正２】
【補正対象書類名】明細書
【補正対象項目名】００４６
【補正方法】変更
【補正の内容】
【００４６】
図１は本願の実施例を適用できる無線通信システム１００を示す。該無線通信システム１００はネットワーク装置１１０を備え得る。ネットワーク装置１１０は端末装置と通信する装置であり得る。ネットワーク装置１１０は特定の地理的エリアに通信カバレッジを提供でき、且つ該カバレッジエリア内に位置する端末装置（例えば、ＵＥ）と通信可能である。選択肢として、該ネットワーク装置１１０はＧＳＭシステム又はＣＤＭＡシステムにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、ＬＴＥシステムにおける発展型基地局（Ｅｖｏｌｕｔｉｏｎａｌ  Ｎｏｄｅ  Ｂ、ｅＮＢ又はｅＮｏｄｅＢ）、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラであってもよく、又は該ネットワーク装置は中継局、アクセスポイント、車載装置、ウェアラブル装置、将来の５Ｇネットワークにおけるネットワーク側装置又は将来の発展型地上波公共移動通信ネットワーク（Ｐｕｂｌｉｃ  Ｌａｎｄ  Ｍｏｂｉｌｅ  Ｎｅｔｗｏｒｋ、ＰＬＭＮ）におけるネットワーク装置等であってもよい。
【手続補正３】
【補正対象書類名】特許請求の範囲
【補正対象項目名】全文
【補正方法】変更
【補正の内容】
【特許請求の範囲】
【請求項１】
ＳＲＳリソースセット内の時間的に一番前のＳＲＳリソースにおいてＳＲＳを送信する時、前記ＳＲＳリソースセットに対して閉ループ電力制御調整値を取得することと、
前記ＳＲＳリソースセットの閉ループ電力制御調整値に基づいて、前記ＳＲＳリソースセットにおける各ＳＲＳリソースに対して目標送信電力を決定することと、
前記目標送信電力に応じて、前記ＳＲＳリソースセットにおけるＳＲＳリソースにおいてＳＲＳをネットワーク装置に送信することと、を含むことを特徴とする無線通信方法。
【請求項２】
前記ＳＲＳリソースセットにおける各ＳＲＳリソースに対して目標送信電力を決定することは、
前記ＳＲＳリソースセットにおける各ＳＲＳリソースに対して同一の目標送信電力を決定することを含むことを特徴とする請求項１に記載の方法。
【請求項３】
前記目標送信電力は、
2021502730.tif 000012
という式によって決定され、
ｉはスロットインデックスであり、ｊは開ループ電力制御パラメータインデックスであり、ｍはＳＲＳ電力オフセットのインデックスであり、ｋはパスロス推定用の参照信号（ＲＳ）リソースのインデックスであり、ｈｃ（ｉ，ｌ）は閉ループ電力調整関数であり、ｌは閉ループ電力制御プロセスのインデックスである請求項１又は２に記載の方法。
【請求項４】
前記ＳＲＳリソースセットは複数のＳＲＳリソースを含み、前記目標送信電力に応じて、前記ＳＲＳリソースセットにおけるＳＲＳリソースにおいてＳＲＳをネットワーク装置に送信することは、
前記目標送信電力に応じて、前記ＳＲＳリソースセットにおける異なるＳＲＳリソースにおいて、異なる送信ビーム又は異なる送信アンテナをそれぞれ使用してＳＲＳを前記ネットワーク装置に送信することを含むことを特徴とする請求項１〜３のいずれか一項に記載の方法。
【請求項５】
前記ＳＲＳリソースセットは、アップリンクビーム管理、チャネル状態情報（ＣＳＩ）の取得又は送信アンテナの切り替えに使用されるＳＲＳリソースセットであることを特徴とする請求項１〜４のいずれか一項に記載の方法。
【請求項６】
前記ＳＲＳリソースセットは、１つの非周期的ＳＲＳトリガーシグナリングによってトリガーされる１組の非周期的ＳＲＳ伝送をベアリングするためのものであり、又は、
前記ＳＲＳリソースセットは、１つの永続的ＳＲＳアクティベーションシグナリングによってアクティベーションされる１組の永続的ＳＲＳ伝送をベアリングするためのものであることを特徴とする請求項１〜５のいずれか一項に記載の方法。
【請求項７】
端末装置であって、処理ユニット及び通信ユニットを備え、
前記処理ユニットは、ＳＲＳリソースセット内の時間的に一番前のＳＲＳリソースにおいてＳＲＳを送信する時、前記ＳＲＳリソースセットに対して閉ループ電力制御調整値を取得することと、前記閉ループ電力制御調整値に基づいて、前記ＳＲＳリソースセットにおける各ＳＲＳリソースに対して目標送信電力を決定することと、に用いられ、
前記通信ユニットは、前記目標送信電力に応じて、前記ＳＲＳリソースセットにおけるＳＲＳリソースにおいてＳＲＳをネットワーク装置に送信することに用いられることを特徴とする端末装置。
【請求項８】
前記処理ユニットは更に、
前記ＳＲＳリソースセットにおける各ＳＲＳリソースに対して同一の目標送信電力を決定することに用いられることを特徴とする請求項７に記載の端末装置。
【請求項９】
前記目標送信電力は、
2021502730.tif 000013
という式によって決定され、
ｉはスロットインデックスであり、ｊは開ループ電力制御パラメータインデックスであり、ｍはＳＲＳ電力オフセットのインデックスであり、ｋはパスロス推定用の参照信号（ＲＳ）リソースのインデックスであり、ｈｃ（ｉ，ｌ）は閉ループ電力調整関数であり、ｌは閉ループ電力制御プロセスのインデックスである請求項７又は８に記載の端末装置。
【請求項１０】
前記通信ユニットは更に、
前記目標送信電力に応じて、前記ＳＲＳリソースセットにおける異なるＳＲＳリソースにおいて、異なる送信ビーム又は異なる送信アンテナをそれぞれ使用してＳＲＳを前記ネットワーク装置に送信することに用いられることを特徴とする請求項７〜９のいずれか一項に記載の端末装置。
【請求項１１】
前記ＳＲＳリソースセットは、アップリンクビーム管理、チャネル状態情報（ＣＳＩ）の取得又は送信アンテナの切り替えに使用されるＳＲＳリソースセットであることを特徴とする請求項７〜１０のいずれか一項に記載の端末装置。
【請求項１２】
前記ＳＲＳリソースセットは、１つの非周期的ＳＲＳトリガーシグナリングによってトリガーされる１組の非周期的ＳＲＳ伝送をベアリングするためのものであり、又は、
前記ＳＲＳリソースセットは、１つの永続的ＳＲＳアクティベーションシグナリングによってアクティベーションされる１組の永続的ＳＲＳ伝送をベアリングするためのものであることを特徴とする請求項７〜１１のいずれか一項に記載の端末装置。
【国際調査報告】
2021502730.tif 000014
2021502730.tif 000015
2021502730.tif 000016
2021502730.tif 000017